(57)【特許請求の範囲】
【請求項１】
昇降式又は固定式のプラテンにベース板を、当該ベース板の裏面が密接するように取付け、このベース板の表面側にチェイス体を取付け、このチェイス体の内部に成形金型を装填する一方、前記成形金型の裏面と前記ベース板との間に形成した空間部内に、前記成形金型を支持するための複数個のサポート体と、エゼクターピン保持部材とを設けて成る成形装置において、
前記ベース板を、当該ベース板に前記チェイス体を取付けた状態で、前記プラテンから取り外すことができるように構成し、このベース板のうち前記各サポート体に該当する部分に、一端が前記サポート体の一端に他端が前記プラテンに接当するようにしたロッド体を、前記ベース板を貫通してその裏面側から取り替えできるように設けたことを特徴とする合成樹脂の成形装置。
【請求項２】
昇降式又は固定式のプラテンにベース板を、当該ベース板の裏面が密接するように取付け、このベース板の表面側にチェイス体を取付け、このチェイス体の内部に成形金型を装填する一方、前記成形金型の裏面と前記ベース板との間に形成した空間部内に、前記成形金型を支持するための複数個のサポート体と、エゼクターピン保持部材とを設けて成る成形装置において、
前記ベース板を、当該ベース板に前記チェイス体を取付けた状態で、前記プラテンから取り外すことができるように構成し、このベース板のうち前記各サポート体に該当する部分に、先端が前記サポート体の一端に接当するようにしたロッドねじ体を、前記ベース板を貫通してその裏面側から回すことができるように螺合したことを特徴とする合成樹脂の成形装置。
【発明の詳細な説明】
【０００１】
【産業上の利用分野】
本発明は、複数個の合成樹脂製品を同時に成形するようにしたマルチ式成形装置に関するものである。
【０００２】
【従来の技術】
最近の合成樹脂のマルチ式成形装置においては、特開昭５５−２２９４７号公報及び特開昭６３−５７２１５号公報等に記載されているように、昇降式又は固定式のプラテンに取付けたベース板に、内部に成形金型を備えたチェイス体を取付け、成形金型の裏面と、ベース板との間に空間部を形成し、この空間部内に、エゼクターピン保持板を上下動自在に設けて、このエゼクターピン保持板に、前記成形金型における各キャビティー内における成形品をキャビティー内から押し出すためのエゼクターピンを連結し、この各エゼクターピンを、前記エゼクターピン保持板の上下動によって作動するように構成する一方、前記空間部内に、原料合成樹脂の材料装填用スリーブを設けることが行なわれている。
【０００３】
このように、成形金型の裏面とベース板との間に空間部を形成することは、成形に際して、前記成形金型が撓み変形するおそれがあるので、従来の成形装置では、前記空間部内に、複数個のサポート体を、その両端が成形金型とベース板とに各々に接当するように介挿し、この各サポート体にて成形金型を支持することにより、前記成形金型における撓み変形を防止するように構成している。
【０００４】
【発明が解決しようとする課題】
しかし、このように、成形金型を空間部内に介挿した複数個のサポート体にて支持するように構成した場合には、以下に述べるような問題があった。
【０００５】
すなわち、この形式の成形装置においては、各サポート体と成形金型との間に、厚さ数ミクロン程度の薄いシム板を挿入することによって、前記成形金型が他方の成形金型に対して各所均一に接当するように型合わせ調節することを、複数回の試し成形を繰り返しながら行うものであって、この型合わせ調節に際して、各サポート体と成形金型との間に挿入されている薄いシム板を、厚さの異なる薄いシム板と取り替えるには、その都度、ベース板をプラテンから取り外し、次いで、チェイス体をベース板から取り外したのち、チェイス体、成形金型、エゼクターピン保持板及び材料装填用スリーブ等の全体を分解し、シム板を取り替えたのち逆の順序を組み立てるようにしなければならないから、これに多大の手数を必要とし、きわめて非能率的であった。
【０００６】
本発明は、前記した型合わせ調節が、全体の分解を必要とすることなく、至極簡単にできるようにすることを技術的課題とするものである。
【０００７】
【課題を解決するための手段】
この技術的課題を達成するため本発明における「請求項１」は、
「昇降式又は固定式のプラテンにベース板を、当該ベース板の裏面が密接するように取付け、このベース板の表面側にチェイス体を取付け、このチェイス体の内部に成形金型を装填する一方、前記成形金型の裏面と前記ベース板との間に形成した空間部内に、前記成形金型を支持するための複数個のサポート体と、エゼクターピン保持部材とを設けて成る成形装置において、
前記ベース板を、当該ベース板に前記チェイス体を取付けた状態で、前記プラテンから取り外すことができるように構成し、このベース板のうち前記各サポート体に該当する部分に、一端が前記サポート体の一端に他端が前記プラテンに接当するようにしたロッド体を、前記ベース板を貫通してその裏面側から取り替えできるように設ける。」
と言う構成にした。
【０００８】
また、本発明における「請求項２」は、
「昇降式又は固定式のプラテンにベース板を、当該ベース板の裏面が密接するように取付け、このベース板の表面側にチェイス体を取付け、このチェイス体の内部に成形金型を装填する一方、前記成形金型の裏面と前記ベース板との間に形成した空間部内に、前記成形金型を支持するための複数個のサポート体と、エゼクターピン保持部材とを設けて成る成形装置において、
前記ベース板を、当該ベース板に前記チェイス体を取付けた状態で、前記プラテンから取り外すことができるように構成し、このベース板のうち前記各サポート体に該当する部分に、先端が前記サポート体の一端に接当するようにしたロッドねじ体を、前記ベース板を貫通してその裏面側から回すことができるように螺合する。」
と言う構成にした。
【０００９】
【作    用】
前記「請求項１」のように、ベース板のうち前記各サポート体に該当する部分に、一端が前記サポート体の一端に他端が前記プラテンに接当するようにしたロッド体を、前記ベース板を貫通して設けることにより、成形金型を、複数個のサポート体及びロッド体を介して、プラテンに対して支持することができるから、前記各サポート体の各々に対するロッド体を、その長さ寸法を数ミクロン単位で変えたものに取り替えることで、前記成形金型が他方の成形金型に対して各所均一に接当するように型合わせ調節することができるのである。
【００１０】
この場合において、前記ベース板は、当該ベース板に前記チェイス体を取付けた状態で、前記プラテンから取り外すことができるように構成されている一方、前記各ロッド体は、前記ベース板の裏面側から取り替えできるように構成されていることにより、前記各ロッド体の取り替えは、チェイス体及び成形金型並びにエゼクターピン保持部材を組み付けた状態のベース板を、プラテンから取り外すことで行うことができるから、前記型合わせ調節の都度、ベース板からチェイス体及び成形金型並びにエゼクターピン保持部材の全体を分解することを必要としないのである。
【００１１】
また、前記「請求項２」のように、ベース板のうち前記各サポート体に該当する部分に、先端が前記サポート体の一端に接当するようにしたロッドねじ体を、前記ベース板を貫通してその裏面側から回すことができるように螺合することにより、成形金型を、複数個のサポート体及びロッドねじ体を介して、ベース板に対して支持することができるから、前記各サポート体の各々に対するロッドねじ体を、ねじ込んだり或いはねじ戻したりすることで、前記成形金型が他方の成形金型に対して各所均一に接当するように型合わせ調節することができるのである。
【００１２】
この場合においても、前記各ロッドねじ体のねじ込み及びねじ戻しは、当該各ロッドねじ体がベース板を貫通してベース板の裏面側からできることにより、チェイス体及び成形金型並びにエゼクターピン保持部材を組み付けた状態のベース板を、プラテンから取り外すことで行うことができるから、前記型合わせ調節の都度、ベース板からチェイス体及び成形金型並びにエゼクターピン保持部材の全体を分解することを必要としないのである。
【００１３】
【発明の効果】
従って、本発明によると、成形金型の型合わせ調節に要する手数を大幅に低減でき、その作業能率を著しく向上できる効果を有する。
【００１４】
【実施例】
以下、本発明の実施例を、図１及び図２の図面について説明する。
【００１５】
この図において符号１は、昇降動しない固定式プラテンを、符号２は、前記固定式プラテン１に向かって下降動したのち上昇動するようにした昇降式プラテンを各々示す。
【００１６】
前記固定式プラテン１の上面には、下金型用ベース板３が、その下面が密接するようにしてボルト４にて着脱可能に取付けられ、このベース板３の上面には、内部に成形用下金型６を備えたチェイス体５がボルト７にて着脱可能に取付けられている。つまり、前記下金型用ベース板３は、これにチェイス体５をボルト７にて取付けた状態で、前記固定式プラテン１に対して、ボルト４にて着脱可能に取付けられている。
【００１７】
また、前記昇降式プラテン２の下面には、上金型用ベース板８が、その上面が密接するようにしてボルト９にて着脱可能に取付けられ、このベース板８の下面には、内部に成形用上金型１１を備えたチェイス体１０がボルト１２にて着脱可能に取付けられている。つまり、前記上金型用ベース板８は、これにチェイス体１０をボルト１２にて取付けた状態で、前記昇降式プラテン２に対して、ボルト９にて着脱可能に取付けられている。
【００１８】
前記成形用下金型６の上面と、前記成形用上金型１１の下面とには、成形品を成形するための複数個のキャビティー６ａ，１１ａが凹み形成され、且つ、前記成形用下金型６及び成形用上金型１１の各々には、前記各キャビティー６ａ，１１ａ内で成形した成形品をキャビティー６ａ，１１ａ内から押し出すためのエゼクターピン１３，１４が、貫通して設けられている。
【００１９】
前記成形用下金型６の下面と下金型用ベース板３の上面との間に空間部１５を形成して、この空間部１５内には、ばね１６にて下向きに付勢されたエゼクターピン保持部材１７が上下動自在に設けられ、このエゼクターピン保持部材１７には、前記各エゼクターピン１３を連結して、このエゼクターピン保持部材１７を、前記固定式プラテン１及び下金型用ベース板３を貫通する作動部材１８にて押し上げることにより、前記各エゼクターピン１３が、各キャビティー６ａ内に一斉に突出するように構成されている。
【００２０】
更に、前記空間部１５内には、前記成形用下金型６の下面側を支持するための複数個のサポート体１９が配設されている。
【００２１】
また、前記成形用上金型１１の上面と上金型用ベース板８の上面との間に空間部２０を形成して、この空間部２０内には、ばね２１にて上向きに付勢されたエゼクターピン保持部材２２が上下動自在に設けられ、このエゼクターピン保持部材２２には、前記各エゼクターピン１４を連結して、このエゼクターピン保持部材２２を、前記昇降式プラテン２及び上金型用ベース板８を貫通する作動部材２３にて押し下げることにより、前記各エゼクターピン１４が、各キャビティー１１ａ内に一斉に突出するように構成されている。
【００２２】
更に、前記空間部２０内には、前記成形用上金型１１の上面側を支持するための複数個のサポート体２４が配設されている。
【００２３】
そして、前記下金型用ベース板３及び上金型用ベース板８のうち、各サポート体１９，２４に該当する部分には、一端が前記サポート体１９，２４の一端に他端が前記プラテン１，２に接当するようにしたロッド体２５，２６を、前記ベース板３，８を貫通して、これが取付く前記各プラテン１及び２と反対側の裏面側から取り替えできるように設けると言う構成にする。
【００２４】
なお、前記各ロッド体２５，２６は、その一端にねじ部２５ａ，２６ａを設けて、このねじ部２５ａ，２６ａを、前記サポート体１９，２４の一端部に螺合するように構成されている。
【００２５】
この構成において、昇降式プラテン２の下降動によって、下金型６と上金型１１とを型合わせしたとき、下金型６は、複数個のサポート体１９及びロッド体２５を介して、固定式プラテン１に、上金型１１は、複数個のサポート体２４及びロッド体２６を介して、昇降式プラテン２に各々支持される。
【００２６】
そこで、前記ロッド体２５，２６として、その長さ寸法Ｌを数ミクロン単位で異なるようにしたものを複数本用意し、これらのうち適宜長さ寸法Ｌのものを選択して取り替えることにより、前記上下両金型６，１１が互いに各所均一に接当するように型合わせ調節することができるのである。
【００２７】
そして、前記各ロッド体２５，２６の取り替えは、当該各ロット体２５，２６がその各々におけるベース板３，８を貫通し、前記ベース板３，８の裏面側からできるように構成していることにより、チェイス体５，１０及び金型６，１１並びにエゼクターピン保持部材１７，２２とそのばね１６，２１等を組み付けた状態のベース板３，８を、その各々が取付くプラテン１，２から取り外すことで行うことができるから、前記型合わせ調節の都度、ベース板３，８からチェイス体５，１０及び金型６，１１並びにエゼクターピン保持部材１７，２２とそのばね１６，２１等の全体を分解することを必要としないのである。
【００２１】
なお、図３は、別の実施例を示す。
【００２８】
この実施例は、下金型用ベース板３及び上金型用ベース板８のうち、各サポート体１９，２４に該当する部分に、先端が前記サポート体１９，２４の一端に接当するようにしたロッドねじ体２５′，２６′を、前記ベース板３，８に対してこれを貫通して、これらが取付く前記各プラテン１及び２と反対側の裏面側から回すことができるように螺合するという構成にしたものである。
【００２９】
この場合においては、下金型６を、複数個のサポート体１９及びロッドねじ体２５′を介して、固定式プラテン１に、上金型１１を、複数個のサポート体２４及びロッド体２６′を介して、昇降式プラテン２に各々支持することができることにより、前記各ロッドねじ体２５′，２６′を、ねじ込んだり或いはねじ戻したりすることで、前記上下両金型６，１１が互いに各所均一に接当するように型合わせ調節することができる一方、前記各ロッドねじ体２５′，２６′のねじ込み及びねじ戻しは、当該各ロッドねじ体２５′，２６′がその各々におけるベース板３，８を貫通し、前記ベース板３，８の裏面側からできるように構成していることにより、チェイス体５，１０及び金型６，１１並びにエゼクターピン保持部材１７，２２とそのばね１６，２１等を組み付けた状態のベース板３，８を、その各々が取付くプラテン１，２から取り外すことで行うことができるから、前記型合わせ調節の都度、ベース板３，８からチェイス体５，１０及び金型６，１１並びにエゼクターピン保持部材１７，２２とそのばね１６，２１等の全体を分解することを必要としないのである。
【００３０】
なお、前記実施例は、上下両金型６，１１の両方に対して適用した場合を示したが、本発明は、これに限らず、上下両金型６，１１のうちいずれか一方に対して適用しても良いことは言うまでもない。
【図面の簡単な説明】
【図１】本発明の実施例を示す縦断正面図である。
【図２】図１の要部拡大図である。
【図３】本発明における別の実施例を示す図である。
【符号の説明】
１                固定式プラテン
２                昇降式プラテン
３                下金型用ベース板
５                下型用チェイス体
６                成形用下金型
８                上金型用ベース板
１０              上金型用チェイス体
１１              成形用上金型
１５，２０        空間部
１７，２２        エゼクターピン保持部材
１９，２４        サポート体
２５，２６        ロッド体
２５′，２６′    ロッドねじ体
【図１】
0003592793.tif 000002
【図２】
0003592793.tif 000003
【図３】
0003592793.tif 000004